(57)【特許請求の範囲】
【請求項１】
単体で包装箱として使用することができると共に複数組み合わせることにより簡易トイレとして使用することができるトイレ転用可能包装箱であって、
前記トイレ転用可能包装箱の胴部の正面側に設けられた正面板と、この正面板に形成された正面板折曲破断線と、前記正面板の上部に正面板上フラップ折線を介して並んだ状態で連続形成された正面板上第１フラップ、正面板上第２フラップと、前記正面板の下部に正面板下フラップ折線を介して並んだ状態で連続形成された正面板下第１フラップ、正面板下第２フラップと、
前記トイレ転用可能包装箱の胴部の背面側に設けられた背面板と、この背面板に形成された背面板折曲破断線と、前記背面板の上部に背面板上フラップ折線を介して並んだ状態で連続形成された背面板上第１フラップ、背面板上第２フラップと、前記背面板の下部に背面板下フラップ折線を介して並んだ状態で連続形成された背面板下第１フラップ、背面板下第２フラップと、
前記トイレ転用可能包装箱の胴部の第１側面側に設けられた第１側面板と、前記第１側面板の上部に第１側面板上フラップ折線を介して連続形成された第１側面板上フラップと、前記第１側面板の下部に第１側面板下フラップ折線を介して連続形成された第１側面板下フラップと、
前記トイレ転用可能包装箱の胴部の第２側面側に設けられた第２側面板と、前記第２側面板の上部に第２側面板上フラップ折線を介して連続形成された第２側面板上フラップと、前記第２側面板の下部に第２側面板下フラップ折線を介して連続形成された第２側面板下フラップと、
前記正面板上フラップ折線上に幅方向に向かって形成された正面板上第１差込スリット、正面板上第２差込スリットと、前記正面板下フラップ折線上に幅方向に向かって形成された正面板下第１差込スリット、正面板下第２差込スリットと、前記背面板上フラップ折線上に幅方向に向かって形成された背面板上第１差込スリット、背面板上第２差込スリットと、前記背面板下フラップ折線上に幅方向に向かって形成された背面板下第１差込スリット、背面板下第２差込スリットと、を設けてなることを特徴とするトイレ転用可能包装箱。
【請求項２】
前記胴部の平面視形状を六角形状に形成できるようにしたことを特徴とする請求項１記載のトイレ転用可能包装箱。
【請求項３】
前記正面板折曲破断線を前記正面板の幅方向中央に前記正面板の上下方向に向かって形成すると共に前記背面板折曲破断線を前記背面板の幅方向中央に前記背面板の上下方向に向かって形成したことを特徴とする請求項１、請求項２記載のいずれか１項に記載のトイレ転用可能包装箱。
【請求項４】
前記正面板折曲破断線と前記背面板折曲破断線をミシン目で形成したことを特徴とする請求項１、請求項２、請求項３のいずれか１項に記載のトイレ転用可能包装箱。
【請求項５】
前記正面板、前記背面板、前記第１側面板、前記第２側面板の四隅に貫通孔を形成したことを特徴とする請求項１、請求項２、請求項３、請求項４のいずれか１項に記載のトイレ転用可能包装箱。
【請求項６】
段ボール紙で形成したことを特徴とする請求項１、請求項２、請求項３、請求項４、請求項４、請求項５のいずれか１項に記載のトイレ転用可能包装箱。
【発明の詳細な説明】
【技術分野】
【０００１】
本発明は、飲料水等が入ったペットボトル等の品物を収容、保管する包装箱に関し、より詳しくは災害時等には簡易トイレとして使用することができるトイレ転用可能包装箱に関する。
【背景技術】
【０００２】
飲料水が入った２リットル入りのペットボトルは１本単位で販売される場合もあるが、スパーマーケット等の店舗では段ボール紙製の包装箱に入れられて半ダース（６本）単位で販売される場合も多くある。
従って、段ボール紙製の包装箱に入れられた半ダース入りのペットボトルを購入した購入者は前記包装箱を自宅等に保管、保存しておくことになるが、ペットボトルの水を飲んでしまうと、前記包装箱は用途が無くなり廃棄物として廃棄されてしまうのが一般的である。
ところで、大地震、大水害等の大規模災害が発生した場合、被災者は行政が指定した避難場所に避難して長期間、避難場所での生活を余儀なくされるが、前記災害の影響で水道が断水すると避難所のトイレを使用できなくなるという不具合を生じる。
このため、被災者がトイレを使用できなくなることにより、災害で受けた精神的肉体的なストレスに避難所生活での精神的肉体的なストレスが加わり被災者が体調を崩してしまうおそれがある。
また、避難場所に避難していないで自宅に留まって生活をしている被災者も水道が断水すると自宅のトイレが使用できなくなり体調を崩してしまうおそれがある。
そこで、自宅に置いてある飲料水が入ったペットボトルを収容、保管する包装箱を利用して災害時等に一時的に簡易トイレとして使用することができる簡易トイレが提案されている（例えば特許文献１）
この簡易トイレは、ペットボトルを収容、保管する包装箱を利用するものであるが、前記包装箱と別途に形成された便座構成体を前記包装箱に取り付けて簡易トイレとして使用する必要がある。
【先行技術文献】
【特許文献】
【０００３】
【特許文献１】特開２００４−３３４８３号公報
【発明の概要】
【発明が解決しようとする課題】
【０００４】
このため、前記簡易トイレは包装箱とは別途に便座構成体を必要とするため、通常時にも便座構成体を別途に購入して保管して置かなければならないという不具合がある。
また、前記簡易トイレは包装箱以外に別途に便座構成体を製造しなければならず費用がかかるという不具合がある。
さらに、前記簡易トイレは単体の包装箱をそのまま利用するので強度的に不安があるという問題がある。
【課題を解決するための手段】
【０００５】
本発明は、上記の如き実情に鑑みこれらの課題を解決すべく、調達が容易で管理がし易く簡易トイレを簡単に作ることができることを目的として創作されたものであり、
請求項１の発明は、単体で包装箱として使用することができると共に複数組み合わせることにより簡易トイレとして使用することができるトイレ転用可能包装箱であって、
前記トイレ転用可能包装箱の胴部の正面側に設けられた正面板と、この正面板に形成された正面板折曲破断線と、前記正面板の上部に正面板上フラップ折線を介して並んだ状態で連続形成された正面板上第１フラップ、正面板上第２フラップと、前記正面板の下部に正面板下フラップ折線を介して並んだ状態で連続形成された正面板下第１フラップ、正面板下第２フラップと、
前記トイレ転用可能包装箱の胴部の背面側に設けられた背面板と、この背面板に形成された背面板折曲破断線と、前記背面板の上部に背面板上フラップ折線を介して並んだ状態で連続形成された背面板上第１フラップ、背面板上第２フラップと、前記背面板の下部に背面板下フラップ折線を介して並んだ状態で連続形成された背面板下第１フラップ、背面板下第２フラップと、
前記トイレ転用可能包装箱の胴部の第１側面側に設けられた第１側面板と、前記第１側面板の上部に第１側面板上フラップ折線を介して連続形成された第１側面板上フラップと、前記第１側面板の下部に第１側面板下フラップ折線を介して連続形成された第１側面板下フラップと、
前記トイレ転用可能包装箱の胴部の第２側面側に設けられた第２側面板と、前記第２側面板の上部に第２側面板上フラップ折線を介して連続形成された第２側面板上フラップと、前記第２側面板の下部に第２側面板下フラップ折線を介して連続形成された第２側面板下フラップと、
前記正面板上フラップ折線上に幅方向に向かって形成された正面板上第１差込スリット、正面板上第２差込スリットと、前記正面板下フラップ折線上に幅方向に向かって形成された正面板下第１差込スリット、正面板下第２差込スリットと、前記背面板上フラップ折線上に幅方向に向かって形成された背面板上第１差込スリット、背面板上第２差込スリットと、前記背面板下フラップ折線上に幅方向に向かって形成された背面板下第１差込スリット、背面板下第２差込スリットと、を設けてなることを特徴としている。
請求項２の発明は、前記胴部の平面視形状を六角形状に形成できるようにしたことを特徴としている。
請求項３の発明は、前記正面板折曲破断線を前記正面板の幅方向中央に前記正面板の上下方向に向かって形成すると共に前記背面板折曲破断線を前記背面板の幅方向中央に前記背面板の上下方向に向かって形成したことを特徴としている。
請求項４の発明は、前記正面板折曲破断線と前記背面板折曲破断線をミシン目で形成したことを特徴としている。
請求項５の発明は、前記正面板、前記背面板、前記第１側面板、前記第２側面板の四隅に貫通孔を形成したことを特徴としている。
請求項６の発明は、段ボール紙で形成したことを特徴としている。
【発明の効果】
【０００６】
本発明は、包装箱２個を一組とし、１個の包装箱の胴部を折り曲げ、１個の包装箱の胴部を破断して破断した胴部同士を連結して前記２個の包装箱を組み合わせるだけの簡単な作業で簡単に構造的にしっかりした簡易トイレに転用することができるという優れた効果を有する。
本発明は、包装箱を転用するので、調達が容易で管理し易い簡易トイレを簡単に形成して提供することができるという優れた効果を有する。
本発明は、包装箱をそのまま簡易トイレとして転用できるので材料費を抑えて安く提供することができると共に軽量で移動、保管、管理を行い易いという優れた効果を有する。
本発明は、包装箱を簡易トイレに転用するので簡易トイレの廃棄処分を行い易いという優れた効果を有する。
【図面の簡単な説明】
【０００７】
【図１】実施例のトイレ転用可能包装箱を包装箱として使用する場合の全体斜視図である。
【図２】実施例のトイレ転用可能包装箱の展開図である。
【図３】実施例のトイレ転用可能包装箱を第１箱体と第２箱体とに分離した状態斜視図である。
【図４】実施例のトイレ転用可能包装箱のトイレ内側構成体とトイレ外側構成体を組み合わせる場合の状態斜視図である。
【図５】実施例のトイレ転用可能包装箱を簡易トイレに転用した状態の全体斜視図である。
【図６】実施例のトイレ転用可能包装箱を簡易トイレとして使用する場合の全体斜視図である。
【図７】実施例のトイレ転用可能包装箱で転用した簡易トイレの全体斜視図である。
【図８】実施例のトイレ転用可能包装箱で転用した簡易トイレの他の使用例を示す全体斜視図である。
【発明を実施するための形態】
【０００８】
図１〜図７には本発明のトイレ転用可能包装箱の一実施例が示されている。
図１及び図２に示されるように、実施例のトイレ転用可能包装箱１０は一枚の段ボール紙を多数の折線で折り曲げて立体的に形成されている。
【０００９】
図１に示されるように、トイレ転用可能包装箱１０の胴部１１の正面側には正面板１２が立設されている。この正面板１２の幅方向（図１矢印Ｗ方向）中央には正面板１２の上下方向（図１矢印Ｈ方向）に向かって正面板折曲破断線としての正面板ミシン目１４が形成されている。
【００１０】
この正面板ミシン目１４を形成することにより正面板ミシン目１４で正面板１２を破断したり折り曲げ易くなっている。
従って、正面板ミシン目１４を破断すれば正面板１２を容易に正面板第１板体１２Ａと正面板第２板体１２Ｂとに破断できたり、正面板ミシン目１４を折り曲げれば正面板１２を正面板ミシン目１４で容易に折り曲げることができるようになっている。
【００１１】
また、前記正面板１２の四隅には小径の貫通孔１６がそれぞれ形成されている。
【００１２】
図２に示されるように、前記正面板１２の上部には正面板上フラップ折線１８を介して正面板上第１フラップ２０Ａと正面板上第２フラップ２０Ｂが並んだ状態で連続形成されている。
【００１３】
正面板上フラップ折線１８上には幅方向に向かって正面板上第１差込スリット２２Ａと正面板上第２差込スリット２２Ｂが形成されている。
【００１４】
前記正面板１２の下部には正面板下フラップ折線２４を介して正面板下第１フラップ２６Ａと正面板下第２フラップ２６Ｂが並んだ状態で連続形成されている。
【００１５】
前記正面板下フラップ折線２４上には幅方向に向かって正面板下第１差込スリット２８Ａと正面板下第２差込スリット２８Ｂが形成されている。
なお、前記正面板ミシン目１４は前記正面板上第１フラップ２０Ａと前記正面板上第２フラップ２０Ｂの間及び前記正面板下第１フラップ２６Ａと前記正面板下第２フラップ２６Ｂとの間に対応して形成されている。
【００１６】
図１に示されるように、前記トイレ転用可能包装箱１０の胴部１１の背面側には前記正面板１２と対向して背面板３０が立設されている。
【００１７】
図２に示されるように、この背面板３０の幅方向（図１矢印Ｗ方向）中央には背面板３０の上下方向（図１矢印Ｈ方向）に向かって背面板折曲破断可能線としての背面板ミシン目３２が形成されている。
【００１８】
この背面板ミシン目３２を形成することにより背面板ミシン目３２で背面板３０を破断したり折り曲げ易くなっている。
従って、背面板ミシン目３２を破断すれば背面板３０を容易に背面板第１板体３０Ａと背面板第２板体３０Ｂとに破断できたり、背面板ミシン目３２を折り曲げれば背面板３０を背面板ミシン目３２で容易に折り曲げることができるようになっている。
【００１９】
また、前記背面板３０の四隅には貫通孔１６がそれぞれ形成されている。
【００２０】
前記背面板３０の上部には背面板上フラップ折線３４を介して背面板上第１フラップ３６Ａと背面板上第２フラップ３６Ｂが並んだ状態で連続形成されている。
前記背面板上フラップ折線３４上には幅方向に向かって背面板上第１差込スリット３８Ａと背面板上第２差込スリット３８Ｂが形成されている。
【００２１】
前記背面板３０の下部には背面板下フラップ折線４０を介して背面板下第１フラップ４２Ａと背面板下第２フラップ４２Ｂが並んだ状態で連続形成されている。
前記背面板下フラップ折線４０上には幅方向に向かって背面板下第１差込スリット４４Ａと背面板下第２差込スリット４４Ｂが形成されている。
【００２２】
なお、前記背面板ミシン目３２は前記背面板上第１フラップ３６Ａと前記背面板上第２フラップ３６Ｂの間及び前記背面板下第１フラップ４２Ａと前記背面板下第２フラップ４２Ｂとの間に対応して形成されている。
【００２３】
従って、前記正面板ミシン目１４と前記背面板ミシン目３２を破断すると、図３に示されるように前記トイレ転用可能包装箱１０を第１箱体１０Ａと第２箱体１０Ｂの２つに分離することができるようになっている。
【００２４】
図２に示されるように、前記背面板３０の側面には糊代片折線４６を介して糊代片４８が連続形成されている。
【００２５】
図１に示されるように、前記トイレ転用可能包装箱１０の胴部１１の一側には第１側面板５０が立設されている。この第１側面板５０の上部には取っ手口５２を形成する取っ手口形成スリット５２Ａが形成されると共に四隅には貫通孔１６がそれぞれ形成されている。
【００２６】
前記第１側面板５０の側部には前記糊代片４８が接着剤で接着されるようになっている。
【００２７】
図２に示されるように、前記第１側面板５０の上部には第１側面板上フラップ折線５４を介して第１側面板上フラップ５６が連続形成されている。この第１側面板上フラップ５６には折線５６Ａが形成されると共に第１係止舌片５８及び第１係止突起挿入口５９が形成されている。
【００２８】
前記第１側面板５０の下部には第１側面板下フラップ折線６０を介して第１側面板下フラップ６２が連続形成されている。この第１側面板下フラップ６２には折線６２Ａ，６２Ｂが形成されると共に略エ字状のスリットで形成された第１係止舌片挿入スリット６４が設けられている。この第１係止舌片挿入スリット６４には舌片挿入スリット部６４Ａ，６４Ｂが形成されている。
【００２９】
また、前記第１側面板下フラップ６２の先端には第１係止突起６６が連続形成されている。
【００３０】
図１に示されるように、前記トイレ転用可能包装箱１０の胴部１１の他側には前記第１側面板５０と対向して第２側面板７０が立設されている。
【００３１】
図２に示されるように、この第２側面板７０の上部には取っ手口５２を形成する取っ手口形成スリット５２Ａが形成されると共に四隅には貫通孔１６がそれぞれ形成されている。
【００３２】
前記第２側面板７０の上部には第２側面板上フラップ折線７２を介して第２側面板上フラップ７４が連続形成されている。この第２側面板上フラップ７４には折線７４Ａ，７４Ｂが形成されると共に略エ字状のスリットで形成された第２係止舌片挿入スリット７６が設けられている。この第２係止舌片挿入スリット７６には舌片挿入スリット部７６Ａ，７６Ｂが形成されている。
また、前記第２側面板上フラップ７４の先端には第２係止突起７８が連続形成されている。
【００３３】
前記第２側面板７０の下部には第２側面板下フラップ折線８０を介して第２側面板下フラップ８２が連続形成されている。
この第２側面板下フラップ８２には折線８２Ａが形成されると共に第２係止舌片８４及び第２係止突起挿入口８６が形成されている。
【００３４】
なお、上述したが実施例のトイレ転用可能包装箱１０は一枚の段ボール紙を多数の折線で折り曲げて立体的に形成するものであるが、実施例で符号を付して示した上記各種折線以外の折線につては図２において実線で示す。
【００３５】
実施例のトイレ転用可能包装箱１０の作用を包装箱Ｐ（図１参照）として使用する場合及び簡易トイレＴ（図６参照）に転用する場合を例にして説明する。
【００３６】
実施例のトイレ転用可能包装箱１０を包装箱Ｐとして使用する場合は、箱状に形成されたトイレ転用可能包装箱１０の正面板上第１フラップ２０Ａ、正面板上第２フラップ２０Ｂ、背面板上第１フラップ３６Ａ、背面板上第２フラップ３６Ｂ、第１側面板上フラップ５６、第２側面板上フラップ７４を開けて、トイレ転用可能包装箱１０の上方から収容品としての２リットルの水が入ったペットボトル（図示せず）を胴部１１に収容する。
【００３７】
そして、前記トイレ転用可能包装箱１０に前記ペットボトルを収容したら第２側面板上フラップ７４、第１側面板上フラップ５６を折り曲げると共に第２係止突起７８を第１係止突起挿入口５９に挿入する。次に正面板上第１フラップ２０Ａ、正面板上第２フラップ２０Ｂ、背面板上第１フラップ３６Ａ、背面板上第２フラップ３６Ｂを折り曲げて閉じる。
【００３８】
最後に、図１に示されるように別途に用意した粘着テープ１（想像線で示す）を貼り付けて前記第１側面板上フラップ５６、第２側面板上フラップ７４、正面板上第１フラップ２０Ａ、正面板上第２フラップ２０Ｂ、背面板上第１フラップ３６Ａ、背面板上第２フラップ３６Ｂが不用意に開かないようにする。
これにより、トイレ転用可能包装箱１０をペットボトルの包装箱Ｐとして運搬、保管することができる。
【００３９】
なお、トイレ転用可能包装箱１０を運搬する場合は、取っ手口５２に手の指を入れられるのでトイレ転用可能包装箱１０の運搬を行い易くすることができる。
【００４０】
次に前記トイレ転用可能包装箱１０を簡易トイレＴに転用する場合を示す。
図３〜図７には前記トイレ転用可能包装箱１０を利用して簡易トイレＴに転用する一手順が示されている。
【００４１】
前記トイレ転用可能包装箱１０を簡易トイレＴに転用する場合は、空のトイレ転用可能包装箱１０を２個用意して、一のトイレ転用可能包装箱１０でトイレ内側構成体Ｔ１（図４参照）を形成し、他のトイレ転用可能包装箱１０で前記トイレ内側構成体Ｔ１を収納するトイレ外側構成体Ｔ２（図４参照）を形成する。
【００４２】
前記トイレ内側構成体Ｔ１を形成する場合は、空のトイレ転用可能包装箱１０の正面板上第１フラップ２０Ａ、正面板上第２フラップ２０Ｂ、背面板上第１フラップ３６Ａ、背面板上第２フラップ３６Ｂ、第１側面板上フラップ５６、第２側面板上フラップ７４を開けると共に正面板下第１フラップ２６Ａ、正面板下第２フラップ２６Ｂ、背面板下第１フラップ４２Ａ、背面板下第２フラップ４２Ｂ、第１側面板下フラップ６２、第２側面板下フラップ８２を開ける。
【００４３】
そして、前記正面板ミシン目１４と前記背面板ミシン目３２をそれぞれ破断して前記トイレ転用可能包装箱１０を分離して図３に示すように第１箱体１０Ａと第２箱体１０Ｂを形成する。
【００４４】
次に、第１箱体１０Ａと第２箱体１０Ｂを対向させて、第１箱体１０Ａの正面板第１板体１２Ａの外側に第２箱体１０Ｂの正面板第２板体１２Ｂを配設し、第１箱体１０Ａの背面板第１板体３０Ａの外側に第２箱体１０Ｂの背面板第２板体３０Ｂを配設した状態で、正面板上第１差込スリット２２Ａと正面板上第２差込スリット２２Ｂ、正面板下第１差込スリット２８Ａと正面板下第２差込スリット２８Ｂ、背面板上第１差込スリット３８Ａと背面板上第２差込スリット３８Ｂ、背面板下第１差込スリット４４Ａと背面板下第２差込スリット４４Ｂ、をそれぞれ対向させて、第１箱体１０Ａと第２箱体１０Ｂを互いに接近方向にスライドさせることにより、第１箱体１０Ａと第２箱体１０Ｂを連結する。
【００４５】
そして、正面板下第１フラップ２６Ａと背面板下第１フラップ４２Ａを折り曲げると共に正面板下第２フラップ２６Ｂと背面板下第２フラップ４２Ｂを折り曲げた後で第２側面板下フラップ６２、第２側面板下フラップ８２を折り曲げて第２係止舌片８４を第１係止舌片挿入スリット６４の舌片挿入スリット部６４Ａに挿入する。
【００４６】
この結果、図４に示す形状のトイレ内側構成体Ｔ１を形成することができる。
【００４７】
なお、第１係止舌片挿入スリット６４には舌片挿入スリット部６４Ａと舌片挿入スリット部６４Ｂが形成されているので、第２係止舌片８４の挿入し易い舌片挿入スリット部６４Ａ又は舌片挿入スリット部６４Ｂに挿入できるようになっている。
【００４８】
また、トイレ内側構成体Ｔ１は第１箱体１０Ａと第２箱体１０Ｂを連結したものであるためトイレ内側構成体Ｔ１の第１側面板５０と第２側面板７０との間隔寸法Ｗ１（図４矢印Ｗ１）はトイレ転用可能包装箱１０の幅寸法よりも短くなる。
【００４９】
前記トイレ外側構成体Ｔ２を形成する場合は、空のトイレ転用可能包装箱１０の正面板上第１フラップ２０Ａ、正面板上第２フラップ２０Ｂ、背面板上第１フラップ３６Ａ、背面板上第２フラップ３６Ｂ、第１側面板上フラップ５６、第２側面板上フラップ７４を上方に立ち上がらせると共に正面板下第１フラップ２６Ａ、正面板下第２フラップ２６Ｂ、背面板下第１フラップ４２Ａ、背面板下第２フラップ４２Ｂ、第１側面板下フラップ６２、第２側面板下フラップ８２を折り曲げる。
【００５０】
次に、前記正面板ミシン目１４と前記背面板ミシン目３２をそれぞれ折り曲げることにより前記トイレ転用可能包装箱１０の胴部１１を図４に示すように平面視六角形状のハニカム形状に形成する。
【００５１】
そして、第２側面板下フラップ８２の第２係止舌片８４を第１側面板下フラップ６２の舌片挿入スリット部６４Ａに挿入し第１側面板下フラップ６２と第２側面板下フラップ８２を係止して前記トイレ外側構成体Ｔ２を形成する。
【００５２】
なお、図４に示されるように、前記トイレ内側構成体Ｔ１の第１側面板５０と第２側面板７０との間隔寸法Ｗ１は前記トイレ外側構成体Ｔ２の第１側面板５０と第２側面板７０との間隔寸法Ｗ２よりも少し短くなるので、前記トイレ内側構成体Ｔ１を前記トイレ外側構成体Ｔ２に収容できる。
【００５３】
最後に、前記トイレ内側構成体Ｔ１を前記トイレ外側構成体Ｔ２に収容することにより図５に示されるような簡易トイレＴを製造することができる。
【００５４】
なお、図５に示されるように簡易トイレＴのトイレ外側構成体Ｔ２の正面板上第１フラップ２０Ａ、正面板上第２フラップ２０Ｂ、背面板上第１フラップ３６Ａ、背面板上第２フラップ３６Ｂとトイレ内側構成体Ｔ１の正面板上第１フラップ２０Ａ、正面板上第２フラップ２０Ｂ、背面板上第１フラップ３６Ａ、背面板上第２フラップ３６Ｂが重なり合って便座の役目を果たすことになり、安定した状態で簡易トイレＴに座ることができる。
【００５５】
従って、本発明のトイレ転用可能包装箱１０は、通常はペットボトルの包装箱として使用している包装箱を災害時等に簡易トイレＴに転用できるものであるので、調達が容易で、管理がし易い簡易トイレＴを簡単に形成することができる。
【００５６】
また、前記簡易トイレＴは、トイレ内側構成体Ｔ１とトイレ外側構成体Ｔ２の２つの構成体を組み合わせて形成されると共にトイレ外側構成体Ｔ２の胴部１１は平面視六角形状のハニカム構造となっているので、簡易トイレＴはしっかりした構造となる。
従って、簡易トイレＴを使用するため簡易トイレＴに座る場合に生じる上下方向に作用する力に対しても耐久性が増すと共に簡易トイレＴとしての耐久期間も長くすることができる。
【００５７】
前記簡易トイレＴを使用する場合は図６に示すように前記トイレ内側構成体Ｔ１の中にレジ袋や市販のゴミ袋２（想像線で示す）等を配置して排泄物をゴミ袋２内に排泄するのが好ましい。これにより、排泄物が簡易トイレＴから漏れたり、簡易トイレＴに滲みたりするのをより確実に防止できる。
【００５８】
前記簡易トイレＴを使用しない場合は、図７に示すように前記トイレ外側構成体Ｔ２の正面板上第１フラップ２０Ａ、正面板上第２フラップ２０Ｂ、背面板上第１フラップ３６Ａ、背面板上第２フラップ３６Ｂを閉じてから第１側面板下フラップ６２、第２側面板下フラップ８２を閉じて第２係止舌片８４を舌片挿入スリット部６４Ａに挿入すれば、簡易トイレＴの見栄えを良くすることができると共にコンパクトにして置いておくことができる。
【００５９】
また、簡易トイレＴのトイレ外側構成体Ｔ２の対抗する貫通孔１６，１６と貫通孔１６，１６に紐やワイヤー３等を（図７に想像線で示す）で結ぶことにより、簡易トイレＴを持ち運びし易くすることができる。
【００６０】
図８には簡易トイレＴを他の使用例で使用する場合が示されている。
この例では前記簡易トイレＴを別途に用意した段ボール紙製の箱９０に収容することにより、簡易トイレＴを使用する場合が示されている。
例えば前記簡易トイレＴの高さ寸法が低くて簡易トイレＴを使用し難い場合は、高さ寸法の高い箱９０を用意すると共に箱９０の内部の底に適宜高さの支持体（図示せず）を置いてその上に簡易トイレＴを置けば簡易トイレＴの位置が支持体分高くなる。
従って、箱９０の上蓋を開いて箱９０に座った状態で簡易トイレＴを使用すれば簡易トイレＴの高さが低い人にとっても快適に使用することができる。
なお、前記簡易トイレＴを別途に用意した前記箱９０に収容して使用するのが面倒な場合は、簡易トイレＴを載置支持できる適宜の高さの支持体を用意して支持体の上に簡易トイレＴを載置して簡易トイレＴを使用するようにしてもよい。
【００６１】
さらに簡易トイレＴの他の使用例として、空のトイレ転用可能包装箱１０を２個用意して、一のトイレ転用可能包装箱１０でトイレ内側構成体Ｔ１（図４参照）を形成し、他の空のトイレ転用可能包装箱１０に前記トイレ内側構成体Ｔ１を収容することによっても簡易トイレを形成することができる。
前記トイレ内側構成体Ｔ１の幅寸法Ｗ１（図４参照）は、トイレ転用可能包装箱１０の幅寸法よりも短いので、前記トイレ内側構成体Ｔ１を空のトイレ転用可能包装箱１０に収容することができる。
なお、この場合、他のトイレ転用可能包装箱１０は空の状態のまま利用できるのでより簡単に簡易トイレを形成することができる。
【００６２】
なお、トイレ転用可能包装箱１０は、段ボール紙で折り畳み可能に形成されているので、空のトイレ転用可能包装箱１０を平板状にした状態でストックしておけば嵩張らず保管がし易く、災害が発生した場合にトイレ転用可能包装箱１０を簡易トイレＴとして使用することができる。
【００６３】
また、トイレ転用可能包装箱１０は段ボール紙で形成したので軽量であるため、運搬を行い易いと共に焼却等で廃棄できるので廃棄し易い。
【００６４】
なお、実施例ではトイレ転用可能包装箱１０を段ボール紙で形成した場合を示したが、段ボール紙は防水加工を施して耐水性を向上させるようにしてもよい。
【００６５】
また、トイレ転用可能包装箱１０を形成するのは段ボール紙に限定されるものでなく、段ボール紙以外の厚紙や他の材料で形成してもよいことは勿論である。
【００６６】
なお、実施例では胴部１１の平面視形状は平面視六角形状にしたが、例えば六角形であれば正六角形状でもよいことは勿論である。
【００６７】
また、実施例では正面板折曲破断線として正面板ミシン目１４、背面板折曲破断線として背面板ミシン目３２を示したが、正面板折曲破断線及び背面板折曲破断線はミシン目に限定されるものでなく、折り易く破断し易いのであれば溝等でもよいことは勿論である。
【００６８】
また、実施例ではトイレ転用可能包装箱１０を包装箱として使用する場合は収容品として水が入ったペットボトルを示したが、収容品はペットボトル以外のトイレットペーパー、食料品等の品物でもよいことは勿論である。
【００６９】
なお、実施例では２リットル入りのペットボトルを半ダース収容できる大きさのトイレ転用可能包装箱１０を示したが、トイレ転用可能包装箱１０の大きさは実施例で示した大きさに限定されないことは勿論である。
【００７０】
なお、実施例では一のトイレ転用可能包装箱１０でトイレ内側構成体Ｔ１を形成し、他のトイレ転用可能包装箱１０でトイレ外側構成体Ｔ２を形成し、トイレ内側構成体Ｔ１とトイレ外側構成体Ｔ２を組み合わせて簡易トイレＴを形成した手順を示したが、トイレ内側構成体Ｔ１、トイレ外側構成体Ｔ２を形成する手順や、トイレ内側構成体Ｔ１とトイレ外側構成体Ｔ２を組み合わせて簡易トイレＴを形成する手順は実施例に示した手順に限定されるものでないことは勿論である。
【００７１】
本発明のトイレ転用包装箱１０は正面板ミシン目１４、背面板ミシン目３２で折り曲げ胴部１１を平面視六角形状のハニカム形状に形成したトイレ転用包装箱１０（例えば図７に示す形状）を多数作り、その上にマットレス等の寝具を乗せて簡易ベッド等に利用するこができる。
【００７２】
また、ハニカム形状に形成したトイレ転用包装箱１０を縦横に並べて避難所における間仕切り等のブロックとして使用することができ、多数の被災者が生活する避難所においてプライバシーを守るパーツとして使用することができる。
この場合、横方向に隣り合うトイレ転用包装箱１０とトイレ転用包装箱１０、縦方向に重なり合うトイレ転用包装箱１０とトイレ転用包装箱１０の貫通孔１６に紐等を入れて結べば隣り合ったり重ね合ったりするトイレ転用包装箱１０とトイレ転用包装箱１０が離れてしまうことを防止することができる。
【符号の説明】
【００７３】
１０    トイレ転用可能包装箱
１０Ａ  第１箱体
１０Ｂ  第２箱体
１１    胴部    
１２    正面板
１４    正面板ミシン目
１６    貫通孔
１８    正面板上フラップ折線
２０Ａ  正面板上第１フラップ
２０Ｂ  正面板上第２フラップ
２２Ａ  正面板上第１差込スリット
２２Ｂ  正面板上第２差込スリット
２４    正面板下フラップ折線
２６Ａ  正面板下第１フラップ
２６Ｂ  正面板下第２フラップ
２８Ａ  正面板下第１差込スリット
２８Ｂ  正面板下第２差込スリット
３０    背面板
３２    背面板ミシン目
３４    背面板上フラップ折線
３６Ａ  背面板上第１フラップ
３６Ｂ  背面板上第２フラップ
３８Ａ  背面板上第１差込スリット
３８Ｂ  背面板上第２差込スリット
４０    背面板下フラップ折線
４２Ａ  背面板下第１フラップ
４２Ｂ  背面板下第２フラップ
４４Ａ  背面板下第１差込スリット
４４Ｂ  背面板下第２差込スリット
４６    糊代片折線
４８    糊代片
５０    第１側面板
５２    取っ手口
５４    第１側面板上フラップ折線
５６    第１側面板上フラップ
５６Ａ  折線
５８    第１係止舌片
６０    第１側面板下フラップ折線
６２    第１側面板下フラップ
６２Ａ  折線
６２Ｂ  折線
６４    第１係止舌片挿入スリット
６６    係止突起
７０    第２側面板
７２    第２側面板上フラップ折線
７４    第２側面板上フラップ
７４Ａ  折線
７４Ｂ  折線
７６    第２係止舌片挿入スリット
７８    係止突起
８０    第２側面板下フラップ折線
８２    第２側面板下フラップ
８２Ａ  折線
８４    第２係止舌片
【図１】
0006528020.tif 000002
【図２】
0006528020.tif 000003
【図３】
0006528020.tif 000004
【図４】
0006528020.tif 000005
【図５】
0006528020.tif 000006
【図６】
0006528020.tif 000007
【図７】
0006528020.tif 000008
【図８】
0006528020.tif 000009